(57)【特許請求の範囲】
【請求項１】
複数のプロジェクタそれぞれの表示領域を合わせて構成される、前記表示領域よりも大きなマルチプロジェクション領域上に、前記プロジェクタの設定画面を表示させる表示制御装置であって、
前記複数のプロジェクタの内、１つ以上のプロジェクタの設定画面を表示させるための表示指示を受け付ける受付手段と、
前記プロジェクタの設定画面が表示される前記マルチプロジェクション領域上の所定領域が、前記複数のプロジェクタの内、２以上のプロジェクタの表示領域を跨る場合、前記表示指示の受け付けに応じて当該２以上のプロジェクタのそれぞれに前記設定画面の部分画像を表示させる表示制御手段とを備え、
前記表示制御装置は、前記マルチプロジェクション領域を構成する前記複数のプロジェクタの内、表示位置の調整が未完了のプロジェクタを検出する検出手段を更に備え、
前記プロジェクタの設定画面が表示される前記所定領域は、前記検出手段により検出されたプロジェクタによる表示領域を含まないように決定される
ことを特徴とする表示制御装置。
【請求項２】
前記プロジェクタの設定画面のイメージを生成する生成手段と、
前記生成された設定画面のイメージから、前記２以上のプロジェクタのそれぞれが表示すべき領域を切り出す切出手段とを更に備え、
前記表示制御手段は、前記切り出された前記設定画面の領域を前記２以上のプロジェクタに送信する送信手段とを備える
ことを特徴とする請求項１に記載の表示制御装置。
【請求項３】
前記表示制御手段は、前記プロジェクタの設定画面のイメージが、前記２以上のプロジェクタのそれぞれにおいて生成されるように、前記設定画面の表示位置を含むパラメータ情報を前記２以上のプロジェクタに送信することを特徴とする請求項１に記載の表示制御装置。
【請求項４】
前記設定画面を表示させるための動作形態を指定する動作形態指定手段と、
前記プロジェクタの設定画面のイメージを生成する生成手段とを更に備え、
前記表示制御手段は、
第１動作形態が指定された場合、前記プロジェクタの設定画面のイメージが、前記２以上のプロジェクタのそれぞれにおいて生成するように、前記設定画面の表示位置を含むパラメータ情報を前記２以上のプロジェクタに送信し、
第２動作形態が指定された場合、前記生成手段により生成された設定画面のイメージを前記２以上のプロジェクタのそれぞれに対して送信する
ことを特徴とする請求項１に記載の表示制御装置。
【請求項５】
前記プロジェクタの設定画面の表示位置を指定する位置指定手段と、
前記位置指定手段による指定に基づく表示領域が、前記検出手段により検出されたプロジェクタによる表示領域に含まれる場合、エラーを通知する通知手段と
を更に備えることを特徴とする請求項１に記載の表示制御装置。
【請求項６】
人感センサから人体検出情報を取得する取得手段を更に備え、
前記プロジェクタの設定画面が表示される前記所定領域は、前記取得手段で取得した人体検出情報に基づいて決定される
ことを特徴とする請求項１乃至５のいずれか１項に記載の表示制御装置。
【請求項７】
前記表示制御装置は、前記複数のプロジェクタの内の１つのプロジェクタに実装される
ことを特徴とする請求項１乃至６のいずれか１項に記載の表示制御装置。
【請求項８】
複数のプロジェクタそれぞれの表示領域を合わせて構成される、前記表示領域よりも大きなマルチプロジェクション領域上に、前記プロジェクタの設定画面を表示させる表示制御方法であって、
前記複数のプロジェクタの内、１つ以上のプロジェクタの設定画面を表示させるための表示指示を受け付ける受付工程と、
前記プロジェクタの設定画面が表示される前記マルチプロジェクション領域上の所定領域が、前記複数のプロジェクタの内、２以上のプロジェクタの表示領域を跨る場合、前記表示指示の受け付けに応じて当該２以上のプロジェクタのそれぞれに前記設定画面の部分画像を表示させる表示制御工程とを備え、
前記表示制御方法は、前記マルチプロジェクション領域を構成する前記複数のプロジェクタの内、表示位置の調整が未完了のプロジェクタを検出する検出工程を更に備え、
前記プロジェクタの設定画面が表示される前記所定領域は、前記検出工程により検出されたプロジェクタによる表示領域を含まないように決定される
ことを特徴とする表示制御方法。
【請求項９】
前記プロジェクタの設定画面のイメージを生成する生成工程と、
前記生成された設定画面のイメージから、前記２以上のプロジェクタのそれぞれが表示すべき領域を切り出す切出工程とを更に備え、
前記表示制御工程は、前記切り出された前記設定画面の領域を前記２以上のプロジェクタに送信する
ことを特徴とする請求項８に記載の表示制御方法。
【請求項１０】
前記表示制御工程は、前記プロジェクタの設定画面のイメージが、前記２以上のプロジェクタのそれぞれにおいて生成されるように、前記設定画面の表示位置を含むパラメータ情報を前記２以上のプロジェクタに送信する
ことを特徴とする請求項８に記載の表示制御方法。
【請求項１１】
コンピュータを、請求項１乃至７のいずれか１項に記載の表示制御装置の各手段として機能させるための、または請求項８乃至１０のいずれか１項に記載の表示制御方法をコンピュータに実行させるためのプログラム。
【発明の詳細な説明】
【技術分野】
【０００１】
本発明は、プロジェクタの設定画面を表示させるための表示制御技術に関するものである。
【背景技術】
【０００２】
娯楽分野や産業分野を始めとして、大画面の映像や非平面の映像を表示する表示装置が普及している。例えば、娯楽分野では、操作者を包み込むように映像を表示することで臨場感を高めたゲーム機が存在している。そして、産業分野では、フライトシミュレータに使用例が存在する。このような大画面の表示面あるいは非平面の表示面は、複数のプロジェクタを組み合わせて映像を表示するマルチプロジェクションシステムで構成することが多い。これは、複数のプロジェクタを組み合わせることで、容易に大画面を構成可能なこと、また、画面が平面でなくとも映像を表示可能であるためである。
【０００３】
上記のようなマルチプロジェクションシステムにおいて、プロジェクタの設定のためのメニュ（設定画面）を投影領域内に表示するための方法が知られている。特許文献１には、複数のプロジェクタの内、ＯＳＤトークンを保持するプロジェクタがメニュ画面を投影し、ＯＳＤトークンを保持しない他のプロジェクタはメニュ画面の投影領域に黒画像を投影することが記載されている。
【先行技術文献】
【特許文献】
【０００４】
【特許文献１】特開２０１２−１９４４２号公報
【発明の概要】
【発明が解決しようとする課題】
【０００５】
しかしながら、マルチプロジェクション領域上にプロジェクタの設定画面を表示させる場合において、プロジェクタの設定画面の表示位置によっては、プロジェクタの設定に手間がかかるケースが予想される。例えば、プロジェクタの設定画面を表示させるための操作を行ったユーザと、当該操作に応じてマルチプロジェクション領域上に表示された設定画面との距離が離れてしまう場合が考えられる。この場合、ユーザは、設定画面の表示位置に向かって移動しなければならなくなる可能性がある。
【０００６】
本発明は上記の課題を解決するためになされたものであり、効率的にプロジェクタの設定を行うことができる技術を提供することを目的とする。
【課題を解決するための手段】
【０００７】
上記の目的を達成するための本発明による表示制御装置は以下の構成を備える。即ち、
複数のプロジェクタそれぞれの表示領域を合わせて構成される、前記表示領域よりも大きなマルチプロジェクション領域上に、前記プロジェクタの設定画面を表示させる表示制御装置であって、
前記複数のプロジェクタの内、１つ以上のプロジェクタの設定画面を表示させるための表示指示を受け付ける受付手段と、
前記プロジェクタの設定画面が表示される前記マルチプロジェクション領域上の所定領域が、前記複数のプロジェクタの内、２以上のプロジェクタの表示領域を跨る場合、前記表示指示の受け付けに応じて当該２以上のプロジェクタのそれぞれに前記設定画面の部分画像を表示させる表示制御手段とを備え、
前記表示制御装置は、前記マルチプロジェクション領域を構成する前記複数のプロジェクタの内、表示位置の調整が未完了のプロジェクタを検出する検出手段を更に備え、
前記プロジェクタの設定画面が表示される前記所定領域は、前記検出手段により検出されたプロジェクタによる表示領域を含まないように決定されることを特徴とする。
【発明の効果】
【０００８】
本発明によれば、効率的にプロジェクタの設定を行うことができる。
【図面の簡単な説明】
【０００９】
【図１】表示制御装置の構成を示す図である。
【図２】マルチプロジェクションシステムを説明するための図である。
【図３】マルチプロジェクションシステム上のメニュ表示の一例を示す図である。
【図４】マルチプロジェクションシステムにおいて各プロジェクタの表示担当領域を示す図である。
【図５】プロジェクタのネットワーク構成を示す図である。
【図６】マスタプロジェクタの動作を示すフローチャートである。
【図７】スレーププロジェクタの動作を示すフローチャートである。
【図８】表示制御装置の構成を示す図である。
【図９】未調整のプロジェクタが存在する場合の実施形態を示す図である。
【図１０】未調整のプロジェクタが存在する場合の他の実施形態を示す図である。
【図１１】メニュ表示制御処理を示すフローチャートである。
【発明を実施するための形態】
【００１０】
以下、添付の図面に沿って本発明の実施形態を説明する。但し、本発明の趣旨及びその範囲から逸脱することなく、実施形態及び詳細を変更することは可能である。従って、本実施形態は、記載内容に限定するものではない。また、以下に示す実施形態は、特に限定する場合を除き、ハードウェア上に実装しても、あるいはコンピュータで実行するソフトウェアで実装しても構わない。尚、同一の機能を有する構成要素には原則として同一の符号を付し、その繰り返しの説明は省略する。
【００１１】
以下の実施形態では、表示制御装置として実現されるプロジェクタを、例に挙げて説明する。また、説明に先立ち、実施形態のプロジェクタに使用する座標系を説明する。本実施形態では、複数のプロジェクタの表示領域を合わせることで１つの表示領域を構成するマルチプロジェクションシステムにおいて、その表示領域の左上のピクセルを原点（０，０）とした左手系の座標を使用する。また、座標値の単位はピクセルである。尚、本実施形態のマルチプロジェクションシステムでは、複数のプロジェクタの表示領域の一部を重畳させて、１つの表示領域が構成される例を中心に説明する。マルチプロジェクションによって表示されるマルチプロジェクション領域は、個々のプロジェクタの表示領域よりも大きい。
【００１２】
また、以下、混同の虞が無い場合に限り、使用者とは、プロジェクタに対する設定作業用のインタフェースであるメニュを使用して、プロジェクタに対する設定作業を実施する者を指すとする。
【００１３】
更に、プロジェクタを使用したマルチプロジェクションシステムにおいて、使用者が操作しているメニュに依る設定対象のプロジェクタをマスタプロジェクタ（第１の表示装置）と呼称する。一方、メインプロジェクタ以外のプロジェクタをスレーブプロジェクタ（第２の表示装置）と呼称する。
【００１４】
＜実施形態１＞
図１を用いて、マルチプロジェクションシステムを構成する複数のプロジェクタのそれぞれのプロジェクタを実現する表示制御装置１の構成について説明する。図１（ａ）は表示制御装置１の機能構成であり、表示制御装置１は、決定部１１、生成部１２、切出部１３、受信部１４、送信部１５、及び選択部１６を少なくとも含んでいる。
【００１５】
決定部１１は、プロジェクタに対する設定作業用のインタフェースであるメニュ（設定画面）を生成するために必要な諸元を決定する。以下、メニュを生成するために必要な諸元を、メニュ諸元１０１と記述する。尚、本実施形態において、諸元とは、メニュ画面の表示座標、大きさ、色、内容を示す情報である。但し、これらの情報がすべて諸元に含まれる必要はない。また、別の情報が諸元に含まれていてもよい。生成部１２は、メニュ諸元１０１（メニュのパラメータ情報）に基づいて、メニュの表示実体であるメニュイメージ１０２を生成する。切出部１３は、メニュイメージ１０２からプロジェクタが表示を担当する領域（表示担当領域）を切り出し、表示担当領域メニュイメージ１０３を生成する。また、本実施形態における設定画面は、マルチプロジェクションを行う複数のプロジェクタの内、少なくとも１つのプロジェクタの設定を行うためのメニュである。
【００１６】
受信部１４は、他のプロジェクタが送信したメニュ情報１０５を受信メニュ情報１０４として受信する。送信部１５は、メニュ諸元１０１、メニュイメージ１０２、表示担当領域メニュイメージ１０３、あるいは受信メニュ情報１０４を、他のプロジェクタに送信する。そして、選択部１６は、プロジェクタの動作形態に基づき、切出部１３で切り出した表示担当領域メニュイメージ１０３、あるいは受信メニュ情報１０４を選択し、メニュの表示イメージ１０６を選択する。
【００１７】
図１（ｂ）は、表示制御装置１のハードウェア構成を示している。図１において、ＣＰＵ１１０１は、ＲＯＭ１１０３あるいはハードディスクドライブ（ＨＤＤ）１１０５に格納されたプログラムを読み出し、ワークメモリとして機能するＲＡＭ１１０２上で実行することで、図１（ａ）に示す各種機能構成を実現する。また、ＣＰＵ１１０１は、システムバス１１１８を介して相互に接続される各種構成要素を制御する。
【００１８】
ＨＤＤインタフェース（Ｉ／Ｆ）１１０４は、ＨＤＤ１１０５や光ディスクドライブ、各種メモリカード等の２次記憶装置を接続する。ＨＤＤ  Ｉ／Ｆ１１０４は、例えば、シリアルＡＴＡ（ＳＡＴＡ）等のインタフェースで実現される。ＣＰＵ１１０１は、ＨＤＤ  Ｉ／Ｆ１１０４を介して、ＨＤＤ１１０５からのデータ読出、及びＨＤＤ１１０５へのデータ書込が可能である。更に、ＣＰＵ１１０１は、ＨＤＤ１１０５に格納されたデータをＲＡＭ１１０２に展開し、ＲＡＭ１１０２に展開されたデータをＨＤＤ１１０５に保存することが可能である。そして、ＣＰＵ１１０１は、ＲＡＭ１１０２に展開したデータをプログラムとみなして、実行することができる。
【００１９】
撮影インタフェース（Ｉ／Ｆ）１１０６は、撮影装置１１０７等の画像入力デバイスを接続する。撮影Ｉ／Ｆ１１０６は、例えば、ＵＳＢやＩＥＥＥ１３９４等のシリアルバスインタフェースで実現される。ＣＰＵ１１０１は、撮影Ｉ／Ｆ１１０６を介して撮影装置１１０７を制御し、撮影を行うことが可能である。更に、ＣＰＵ１１０１は、撮影Ｉ／Ｆ１１０６を介して撮影装置１１０７から撮影したデータを読み込むことが可能である。
【００２０】
入力インタフェース（Ｉ／Ｆ）１１０８は、リモートコントローラやボタン、ダイヤル等の入力デバイス１１０９を接続する。入力Ｉ／Ｆ１１０８は、例えば、ＵＳＢやＩＥＥＥ１３９４等のシリアルバスインタフェースで実現されても良いし、赤外線通信、ＷｉＦｉ、ブルートゥース等の無線インタフェースで実現されても良い。ＣＰＵ１１０１は、入力Ｉ／Ｆ１１０８を介して入力デバイス１１０９からデータを読み込むことが可能である。出力インタフェース（Ｉ／Ｆ）１１０は、液晶表示装置等の出力デバイス１１１４を接続する。出力Ｉ／Ｆ１１１０は、例えば、ＳＤＩやＤＶＩやＨＤＭＩ（登録商標）等の映像出力インタフェースである。ＣＰＵ１１０１は、出力Ｉ／Ｆ１１１０を介して出力デバイス１１１４に映像データを送信して、スクリーン等の投影面に画像の出力（表示）を実行させることができる。
【００２１】
図１（ａ）に示すプロジェクタの各種機能構成を詳細に説明する前に、プロジェクタの動作形態を説明する。本実施形態では、プロジェクタは、以下の３つの動作形態Ａ〜Ｃを有するとする。勿論、プロジェクタの動作形態は、以下に示す動作形態に限定するものではない。
【００２２】
動作形態Ａ：マスタプロジェクタとスレーブプロジェクタがメニュイメージ１０２を生成
動作形態Ｂ：マスタプロジェクタのみメニュイメージ１０２を生成、スレーブプロジェクタは表示担当領域メニュイメージ１０３を生成
動作形態Ｃ：マスタプロジェクタのみメニュイメージ１０２と表示担当領域メニュイメージ１０３を生成
動作形態Ａは、マスタプロジェクタとスレーブプロジェクタのいずれもメニュイメージ１０２を生成する。マスタプロジェクタは、決定部１１で決定したメニュ諸元１０１に基づいてメニュイメージ１０２を生成する。一方、各スレーブプロジェクタは、マスタプロジェクタが送信部１５を使用して送信するメニュ諸元１０１を受信し、受信したメニュ諸元１０１に基づいてメニュイメージ１０２を生成する。
【００２３】
動作形態Ｂは、マスタプロジェクタのみ決定部１１で決定したメニュ諸元１０１に基づいてメニュイメージ１０２を生成する。そして、マスタプロジェクタは生成したメニュイメージ１０２を送信部１５を使用して各スレーブプロジェクタに送信する。一方、各スレーブプロジェクタは、マスタプロジェクタが送信するメニュイメージ１０２を受信し、受信したメニュイメージ１０２から投影領域に対応する領域を切り出して、自身の表示担当領域メニュイメージ１０３を生成する。
【００２４】
動作形態Ｃは、マスタプロジェクタのみ決定部１１で決定したメニュ諸元１０１に基づいて、メニュイメージ１０２を生成する。加えて、マスタプロジェクタは各スレーブプロジェクタが表示する表示担当領域メニュイメージ１０３も併せて生成する。マスタプロジェクタは、生成した表示担当領域メニュイメージ１０３を送信部１５を使用して各スレーブプロジェクタに送信する。スレーブプロジェクタは、受信した表示担当領域メニュイメージ１０３に基づいて、メニュの表示イメージ１０６を生成する。
【００２５】
尚、この動作形態は、マルチプロジェクションシステムを構成する複数のプロジェクタの内、例えば、マスタプロジェクタの入力デバイス１１０９において指定することができる。即ち、入力デバイス１１０９によって動作形態指定がなされる。そして、この指定された動作形態を示す動作モード情報がＲＡＭ１１０２に記憶される。
【００２６】
続いて、本実施形態のマルチプロジェクションシステムを図２を使用して説明する。図２は４台のプロジェクタを使用して構築するマルチプロジェクションシステムの一実施形態である。４台のプロジェクタは、その表示面の形状と大きさが等しく、幅ｍ×高さｎの大きさであるとする。以下、４台のプロジェクタを区別する必要がある場合、それぞれのプロジェクタを、プロジェクタＡ、プロジェクタＢ、プロジェクタＣ、及びプロジェクタＤとする。
【００２７】
図２（ａ）は、４台のプロジェクタの表示面と重畳領域２５の関係を示す図である。図２に示すマルチプロジェクションシステムは、４台のプロジェクタを十字の形に組合せて、マルチ投影を実施する。ここで、水平方向及び垂直方向ともに、重畳領域は幅ｋとする。マルチプロジェクションシステムによる表示領域全体に対して、プロジェクタＡの表示面２１は、左上の領域を担当する。従って、プロジェクタＡの表示面２１は右端と下端に幅ｋの重畳領域を有している。以下、同様に、プロジェクタＢの表示面２２は右上の領域を担当し、左端と下端に重畳領域を有している。プロジェクタＣの表示面２３は左下の領域を担当し、右端と上端に重畳領域を有している。そして、プロジェクタＤの表示面２４は右下の領域を担当し、左端と上端に重畳領域を有している。
【００２８】
図２（ｂ）は、図２（ａ）に示す４枚の表示面を組合せてマルチプロジェクションシステムを構成した表示面の一実施形態である。マルチプロジェクションシステムの表示領域２６の大きさは、幅（２ｍ−ｋ）、高さ（２ｎ−ｋ）になる。
【００２９】
続いて、決定部１１を説明する。決定部１１が決定するメニュ諸元１０１（パラメータ情報）は、図３に示すように、表示領域２６におけるメニュ２７の表示位置、メニュ２７の大きさを少なくとも含んでいる。その他に、メニュ諸元１０１は、メニュ２７の表示内容、メニュ項目選択時の動作定義等を含むこともある。勿論、メニュ諸元１０１の内容は、ここに挙げた項目に限定されるものではない。また、例えば、メニュのデフォルトの表示位置がマルチプロジェクション領域上の中央等になることがすでに決定されている場合は、表示位置の情報は必須ではない。また、メニュの大きさについても同様に、デフォルトサイズが設定されている場合、大きさの情報は必須ではない。
【００３０】
メニュ諸元１０１に含まれる、メニュ２７の表示位置と大きさを、図３を使用して詳しく説明する。図３は、マルチプロジェクションシステムの表示領域２６とメニュ２７の一実施形態を示す図である。以下、誤解の虞がある場合を除き、プロジェクタを使用して構築したマルチプロジェクションシステムの表示領域２６を表示面２６と記述する。本実施形態では、メニュ２７の表示位置と大きさを、表示面２６の左上のピクセルを原点（０，０）とした左手系の座標を使用して表記する。そして、メニュ２７の表示位置はメニュ２７の左上のピクセルの座標で表し、メニュ２７の大きさはメニュの横幅と高さを組にして表す。
【００３１】
図３では、メニュ２７の左上のピクセルの座標は（ｐ，ｑ）であるから、メニュ２７の表示位置は（ｐ、ｑ）となる。また、メニュ２７は横幅がｓピクセル、高さがｔピクセルであるから、メニュ２７の大きさは（ｓ，ｔ）となる。
【００３２】
メニュ２７の表示位置と大きさは使用者が設定可能である。使用者は、例えば、以下に示す方法で、メニュ２７の表示位置と大きさを始めとするメニュ２７の生成に必要な指定情報を決定部１１に設定する。
【００３３】
１）プロジェクタから分離した機器を使用して実施
２）プロジェクタ本体の入力デバイス（ボタンやレバー等）を使用して実施
上記の何れの場合であっても、メニュ２７の位置指定が可能である。また、マルチプロジェクションシステムの表示領域２６に対する操作者（使用者）の位置と距離から、操作者に最も適した位置と大きさを推定し、推定したメニュ２７の表示位置と大きさを決定部１１に設定してもよい。例えば、赤外線を使用した人感センサを決定部１１に接続し、その人感センサで検出した人体検出情報から、マルチプロジェクションシステムの表示領域２６に対する操作者の位置と距離を測定する。使用者の検出位置とマルチプロジェクションシステムの表示領域２６の位置関係と人間の視野角に基づいて、メニュ２７の表示位置とメニュ２７の大きさを算出する。マルチプロジェクションシステムの表示領域２６に対する操作者の位置と距離の測定は、赤外線を使用した人感センサに限定するものではなく、操作者の位置と距離が測定可能な公知の技術で実施可能である。
【００３４】
また、勿論、メニュ２７の表示位置と大きさを決定部１１に設定する方法を上述の方法に限定されるものではない。
【００３５】
続いて、生成部１２の動作を詳しく説明する。生成部１２は、メニュ諸元１０１に基づいて、メニュ２７の表示実体であるメニュイメージ１０２を生成する。生成部１２の動作は、プロジェクタがマスタプロジェクタであるかスレーブプロジェクタであるかに依存する。また、プロジェクタがスレーブプロジェクタある場合、動作形態にも依存する。表１に、本実施形態における生成部１２の動作を示す。
【００３６】
【表１】
0006512796.tif 000002
【００３７】
表１に示すように、プロジェクタがマスタプロジェクタある場合、動作形態に関わらず生成部１２は、決定部１１で決定したメニュ諸元１０１に基づいて、メニュイメージ１０２を生成する。
【００３８】
一方、プロジェクタがスレーブプロジェクタである場合、生成部１２の動作は動作形態に依存する。表１に示すように、プロジェクタがスレーブプロジェクタで、かつ動作形態Ａである場合、生成部１２は、受信部１４が受信したメニュ諸元１０１に基づいて、メニュイメージ１０２を生成する。そして、プロジェクタがスレーブプロジェクタで、かつ動作形態ＢあるいはＣである場合、生成部１２は動作せず、メニュイメージ１０２は生成しない。
【００３９】
尚、メニュイメージ１０２の生成方法は、表１に示す方法に依存したものではなく、公知の技術に依りメニュイメージ１０２を生成することが可能である。例えば、Ｍｏｔｉｆ等のウインドウシステムが有するＡＰＩを使用してメニュイメージ１０２を生成してもよい。
【００４０】
次に、図３と図４を使用して、マルチプロジェクションシステムにおいて、個々のプロジェクタの表示担当領域（メニュ２７の全体画像から切り出した部分画像）とメニュ２７の関係を説明する。図３に示すメニュ２７の表示位置は（ｐ，ｑ）、大きさは（s，ｔ）である。
【００４１】
図４（ａ）は、メニュ２７の領域の内、プロジェクタＡの表示担当領域３１を示している。このプロジェクタＡの表示担当領域３１は、重畳領域２５も含めたプロジェクタＡの表示領域とメニュ２７の領域の積集合になっている。以下、同様に、図４（ｂ）は、プロジェクタＢの表示担当領域３２を示しており、重畳領域２５も含めたプロジェクタＢの表示領域とメニュ２７の領域の積集合になっている。図４（ｃ）は、プロジェクタＣの表示担当領域３３を示しており、重畳領域２５も含めたプロジェクタＣの表示領域とメニュ２７の領域の積集合になっている。最後に、図４（ｄ）は、プロジェクタＤの表示担当領域３４を示しており、重畳領域２５も含めたプロジェクタＤの表示領域とメニュ２７の領域の積集合になっている。更に、プロジェクタＡの表示担当領域３１からプロジェクタＤの表示担当領域３４のそれぞれの表示位置と大きさを表２に示す。
【００４２】
【表２】
0006512796.tif 000003
【００４３】
続いて、切出部１３の動作を詳しく説明する。切出部１３は、メニュイメージ１０２からプロジェクタの表示担当領域を切り出して、表示担当領域メニュイメージ１０３を生成する。切出部１３の動作は、プロジェクタがマスタプロジェクタであるかスレーブプロジェクタであるかに依存し、また、動作形態に依存して異なる。表３に、本実施形態における切出部１３の動作を示す。
【００４４】
【表３】
0006512796.tif 000004
【００４５】
表３に示すように、マスタプロジェクタは、決定部１１で決定したメニュ諸元１０１に基づいて、生成部１２で生成したメニュイメージ１０２から、切出部１３は表示担当領域メニュイメージ１０３を生成する。このとき、現在の動作形態動作形態Ａあるいは動作形態Ｂである場合、切出部１３は、マスタプロジェクタの表示担当領域メニュイメージ１０３のみを生成する。一方、動作形態Ｃである場合、切出部１３は、マスタプロジェクタの表示担当領域メニュイメージ１０３に加えて、各スレーブプロジェクタの表示担当領域メニュイメージ１０３も生成する。
【００４６】
ここで、図４を用いて、プロジェクタＡをマスタプロジェクタ、プロジェクタＢからプロジェクタＤをスレーブプロジェクタとする場合の処理例について説明する。動作形態Ａあるいは動作形態Ｂでは、マスタプロジェクタの切出部１３は、プロジェクタＡの表示担当領域３１の表示担当領域メニュイメージ１０３のみを生成する。即ち、マスタプロジェクタの切出部１３が生成する表示担当領域メニュイメージ１０３は１種類である。一方、動作形態Ｃでは、表示担当領域メニュイメージ１０３に加えて、マスタプロジェクタの切出部１３は、プロジェクタＢの表示担当領域３２、プロジェクタＣの表示担当領域３３、及びプロジェクタＤの表示担当領域３４それぞれの表示担当領域メニュイメージ１０３も併せて生成する。従って、マスタプロジェクタの切出部１３が生成する表示担当領域メニュイメージ１０３は４種類である。
【００４７】
プロジェクタがスレーブプロジェクタであり、かつ動作形態Ａである場合、切出部１３は、受信部１４が受信したメニュ諸元１０１に基づいて、生成部１２で生成したメニュイメージ１０２から表示担当領域メニュイメージ１０３を生成する。ここで、切出部１３は、プロジェクタの表示担当領域メニュイメージ１０３のみを生成する。
【００４８】
プロジェクタがスレーブプロジェクタであり、かつ動作形態Ｂである場合、切出部１３は、受信部１４が受信したメニュ諸元１０１に基づき受信部１４が受信したメニュイメージ１０２から表示担当領域メニュイメージ１０３を生成する。ここでも、切出部１３は、プロジェクタの表示担当領域メニュイメージ１０３のみを生成する。
【００４９】
プロジェクタがスレーブプロジェクタであり、かつ動作形態Ｃである場合、切出部１３は、動作せず、表示担当領域メニュイメージ１０３は生成しない。
【００５０】
本実施形態では、メニュイメージ１０２からの表示担当領域メニュイメージ１０３の切出は、重畳領域２５を含むプロジェクタの表示領域とメニュ２７の領域の積集合を取ることで実施する。領域の積集合を取得する構成や方法は公知技術である。従って、任意の公知技術を使用して、切出部１３を構築可能である。勿論、切出部１３の動作を、積集合の取得に依る構成・方法に限定するものではない。
【００５１】
次に、マルチプロジェクションシステムで使用するネットワーク形態を図５を使用して説明する。本発明に係わるマルチプロジェクションシステムが使用するネットワーク形態は、図５（ａ）に示すデージーチェイン型であってもよいし、図５（ｂ）に示すスター型であってもよい。デージーチェイン型では、各プロジェクタが環状に接続している。また、スター型では、各本プロジェクタはＨＵＢ２を介して全てのプロジェクタが相互に接続している。尚、ネットワーク形態は、図５に示す２形態のネットワーク形態に限定するものではなく、マルチプロジェクションシステムを構成するプロジェクタ間でメニュ情報１０５（設定画面情報）を交換可能であれば、その形態は問わない。
【００５２】
続けて、受信部１４の動作を説明する。受信部１４は、他のプロジェクタが送信したメニュ情報１０５を受信する。メニュ情報１０５は、動作形態に応じて、表４に示すデータを少なくとも含んでいる。
【００５３】
【表４】
0006512796.tif 000005
【００５４】
ここで、プロジェクタＩＤは、あるマルチプロジェクションシステム内を構成するプロジェクタを一意に識別するための識別子である。この識別子は、プロジェクタＩＤの様式に依存したものではないので、プロジェクタを一意に識別可能ならば、様式は任意である。例えば、マルチプロジェクションシステムを構成するプロジェクタに１から始まる異なる自然数を割り当て、割り当てた自然数四桁の十進数で表した、プロジェクタＩＤを使用してもよい。このとき、全ての桁が０であるプロジェクタＩＤ「００００」はブロードキャストを表し、送信先プロジェクタは全てのプロジェクタとする。
【００５５】
受信部１４は、メニュ情報１０５の送信先プロジェクタＩＤと自分自身のプロジェクタＩＤを比較する。送信先プロジェクタＩＤと自分自身のプロジェクタＩＤが一致する場合、受信部１４は、受信メニュ情報１０４を動作形態に応じて、生成部１２、切出部１３、及び選択部１６へ送信する。ここで、ネットワーク形態が図５（ａ）に示すデージーチェインである場合、送信先プロジェクタＩＤと自分自身のプロジェクタＩＤが一致するかしないかに拘わらず、受信メニュ情報１０４を送信部１５に送信する。
【００５６】
続いて、送信部１５の動作を説明する。送信部１５は、メニュ情報１０５を生成し、他のプロジェクタに送信する。プロジェクタがマスタプロジェクタである場合、送信部１５は、動作形態に応じて、メニュ諸元１０１、メニュイメージ１０２、あるいは表示担当領域メニュイメージ１０３からメニュ情報１０５を生成し送信する。一方、プロジェクタがスレーブプロジェクタである場合、送信部１５は、メニュ情報１０５の生成は実施しない。但し、ネットワーク形態が図５（ａ）に示すデージーチェインである場合に限り、受信部１４が受信したメニュ情報１０５を次位のプロジェクタに送信する。
【００５７】
送信部１５が生成するメニュ情報１０５を、図３に示すマルチプロジェクションシステムを例に取り説明する。マスタプロジェクタは、プロジェクタＡとする。また、プロジェクタＩＤは、上述の自然数四桁の十進数で表す。即ち、プロジェクタＡからプロジェクタＤのプロジェクタＩＤを以下の如く割り当てる。
【００５８】
プロジェクタＡ        ０００１
プロジェクタＢ        ０００２
プロジェクタＣ        ０００３
プロジェクタＤ        ０００４
ブロードキャスト      ００００
表５に送信部１５が生成するメニュ情報１０５を動作形態毎に示す。動作形態Ａでは、送信先プロジェクタＩＤは「００００」、即ち、ブロードキャストであり、全てのスレーブプロジェクタに共通のメニュ情報１０５を送信する。動作形態Ａでは、メニュ情報１０５にメニュ諸元１０１を含むため、全てのスレーブプロジェクタにマスタプロジェクタが生成したメニュ諸元１０１を送信することになる。動作形態Ａでは、マスタプロジェクタが生成したメニュ諸元１０１に基づいて、全てのスレーブプロジェクタがメニュイメージ１０２を生成する。そこで、ブロードキャストを使用して全てのスレーブプロジェクタにメニュ諸元１０１を送信することで、動作形態Ａの動作を実現している。
【００５９】
動作形態Ｂも、送信先プロジェクタＩＤは「００００」、即ち、ブロードキャストであり、全てのスレーブプロジェクタに共通のメニュ情報１０５を送信する。動作形態Ｂでは、メニュ情報１０５にメニュ諸元１０１とメニュイメージ１０２を含んでいる。従って、全てのスレーブプロジェクタにマスタプロジェクタが生成したメニュ諸元１０１とメニュイメージ１０２を送信することになる。動作形態Ｂでは、スレーブプロジェクタは、マスタプロジェクタが生成したメニュイメージ１０２から表示担当領域メニュイメージ１０３を切り出す。そこで、ブロードキャストを使用して全てのスレーブプロジェクタにメニュ諸元１０１とメニュイメージ１０２を送信することで、動作形態Ｂの動作を実現している。
【００６０】
動作形態Ｃでは、マスタプロジェクタがスレーブプロジェクタそれぞれの表示担当領域メニュイメージ１０３を生成し、対応するスレーブプロジェクタそれぞれに送信する。従って、送信部１５は、スレーブプロジェクタ個々にメニュ情報１０５を生成・送信する。本実施形態では、表５に示すように、送信部１５が生成・送信するメニュ情報１０５は、プロジェクタＢ、プロジェクタＣ、及びプロジェクタＤのそれぞれに対応した３種類のメニュ情報１０５である。例えば、プロジェクタＢに送信するメニュ情報１０５は、以下の情報を含む。
【００６１】
送信先プロジェクタのＩＤ        ０００２
表示担当領域のメニュイメージ    プロジェクタＢの表示担当領域メニュイメージ
【００６２】
【表５】
0006512796.tif 000006
【００６３】
続いて、選択部１６の動作を説明する。選択部１６は動作形態に依り、切出部１３が生成した表示担当領域メニュイメージと、受信部１４で受信した表示担当領域メニュイメージを選択し、表示イメージ１０６を生成し、表示イメージ１０６の表示指示を実施する。例えば、プロジェクタの動作形態が動作形態Ａあるいは動作形態Ｂである場合、切出部１３が生成した表示担当領域メニュイメージ１０３を選択する。一方、プロジェクタの動作形態が動作形態Ｃである場合、受信部１４で受信した表示担当領域メニュイメージを選択する。
【００６４】
次に、マスタプロジェクタ及びスレーププロジェクタの動作について説明する。
【００６５】
図６はマスタプロジェクタの動作を示すフローチャートである。尚、図６に示す処理は、ＣＰＵ１１０１がＲＯＭ１１０３に記憶されるプログラムを読み出し、ＲＡＭ１１０２上で実行することで実現される。また、マスタプロジェクタの動作形態は、入力デバイス１１０９を介して指定され、その指定された動作形態は動作モード情報としてＲＡＭ１１０２に記憶しているとする。
【００６６】
まず、Ｓ１０１で、ＣＰＵ１１０１は、決定部１１により、メニュ諸元１０１を決定する。Ｓ１０２で、ＣＰＵ１１０１は、決定されたメニュ諸元１０１に基づいて、生成部１２により、メニュイメージ１０２を生成する。Ｓ１０３で、ＣＰＵ１１０１は、切出部１３により、ＲＡＭ１１０２に記憶されている動作モード情報を参照して、動作形態を判定する。
【００６７】
判定の結果、動作形態が動作形態Ａである場合、Ｓ１０４で、ＣＰＵ１１０１は、切出部１３により、メニュイメージ１０２からマスタプロジェクタ自身の表示担当領域を切り出し、表示担当領域メニュイメージ１０３を生成する。Ｓ１０５で、送信部１５により、決定部１１で決定したメニュ諸元１０１をメニュ情報１０５として各スレーブプロジェクタへ送信する。尚、Ｓ１０４とＳ１０５は並行して処理することが可能であるし、Ｓ１０５とＳ１０４の処理の順序が逆であってもよい。
【００６８】
判定の結果、動作形態が動作形態Ｂである場合、Ｓ１０６で、ＣＰＵ１１０１は、切出部１３により、メニュイメージ１０２からマスタプロジェクタ自身の表示担当領域を切り出し、表示担当領域メニュイメージ１０３を生成する。Ｓ１０７で、送信部１５により、決定部１１で決定したメニュ諸元１０１とともに生成部１２で生成したメニュイメージ１０２をメニュ情報１０５として各スレーブプロジェクタへ送信する。尚、Ｓ１０６とＳ１０７は並行して処理することが可能であるし、Ｓ１０６とＳ１０７の処理の順序が逆であってもよい。
【００６９】
判定の結果、動作形態が動作形態Ｃである場合、Ｓ１０８で、ＣＰＵ１１０１は、切出部１３により、メニュイメージ１０２からマスタプロジェクタ自身及びスレーププロジェクタそれぞれの表示担当領域を切り出し、各プロジェクタの表示担当領域メニュイメージ１０３を生成する。Ｓ１０９で、送信部１５により、決定部１１で決定したメニュ諸元１０１とともに切出部１３で切り出したスレーブプロジェクタの表示担当領域メニュイメージ１０３をメニュ情報１０５として対応するスレーブプロジェクタへ送信する。尚、Ｓ１０８とＳ１０９は並行して処理することが可能であるし、Ｓ１０８とＳ１０９の処理の順序が逆であってもよい。
【００７０】
Ｓ１１０で、ＣＰＵ１１０１は、送信部１５による動作形態に応じて送信を完了すると、選択部１６により、表示担当領域メニュイメージ１０３を表示イメージ１０６として選択して、表示する。
【００７１】
図７はスレーブプロジェクタの動作を示すフローチャートである。尚、図７に示す処理は、ＣＰＵ１１０１がＲＯＭ１１０３に記憶されるプログラムを読み出し、ＲＡＭ１１０２上で実行することで実現される。
【００７２】
Ｓ２０１で、ＣＰＵ１１０１は、受信部１４により、マスタプロジェクタからメニュ情報１０５を受信する。Ｓ２０２で、ＣＰＵ１１０１は、生成部１２により、メニュ情報１０５に含まれる情報に基づいて、自身の動作形態を判定する。
【００７３】
判定の結果、動作形態が動作形態Ａである場合、Ｓ２０３で、ＣＰＵ１１０１は、切出部１３により、メニュ情報１０５に含まれるメニュ諸元１０１に基づいて生成部１２で生成したメニュイメージ１０２から自身の表示担当領域を切り出し、表示担当領域メニュイメージ１０３を生成する。その後、Ｓ２０５で、ＣＰＵ１１０１は、選択部１６により、その表示担当領域メニュイメージ１０３を表示イメージ１０６として選択して、表示する。
【００７４】
判定の結果、動作形態が動作形態Ｂである場合、Ｓ２０４で、ＣＰＵ１１０１は、切出部１３により、メニュ情報１０５に含まれるメニュイメージ１０２から自身の表示担当領域を切り出し、表示担当領域メニュイメージ１０３を生成する。その後、Ｓ２０５で、ＣＰＵ１１０１は、選択部１６により、その表示担当領域メニュイメージ１０３を表示イメージ１０６として選択して、表示する。
【００７５】
判定の結果、動作形態が動作形態Ｃである場合、Ｓ２０５で、ＣＰＵ１１０１は、選択部１６により、メニュ情報１０５に含まれる表示担当領域メニュイメージ１０３を表示イメージ１０６として選択して、表示する。
【００７６】
以上説明したように、本実施形態によれば、設定作業用のインタフェースであるメニュを、複数のプロジェクタの表示領域の重畳領域も含めた全表示領域に表示することで、メニュを表示する領域を拡大し、設定作業を実現することができる。
【００７７】
また、エッジブレンディングを適用した重畳領域に対してもメニュを表示することができる。従って、本発明は、マルチプロジェクションシステムにおいて、設定作業の効率を向上することができ、プロジェクタの商品価値を高め、以って市場に対する訴求効果を高める効果が有る。
【００７８】
また、上記の実施形態では、メニュの表示位置と大きさを使用者が設定する場合の例と、操作者（使用者）の位置に基づいてメニュの表示位置と大きさを決定する例を説明したが、上記の例に限らない。例えば、マルチプロジェクションシステムにおけるマルチプロジェクション領域上の所定領域（例えば、中央部分）に、メニュ画面（設定画面）が表示されるように設定することも可能である。この場合、プロジェクタが４つの場合のみならず、例えば、３×３の９つのプロジェクタや２×３の６つのプロジェクタを用いてマルチプロジェクションを行う場合においても、自動的に中央部分にメニュを表示させることが可能である。尚、３×３のプロジェクタでマルチプロジェクションを行う場合で、且つ、マルチプロジェクション領域上の中央部分にメニュ画面を表示する設定になっている場合、メニュ画面が複数のプロジェクタの表示領域を跨がない可能性がある。
【００７９】
＜実施形態２＞
図８は実施形態２の表示制御装置の構成を示す図である。実施形態２では実施形態１に加えて、通知部１７を追加している。通知部１７は、表示位置調整が未完成のプロジェクタを検出し、決定部１１に通知する。例えば、通知部１７は、メニュ諸元１０１に基づいて、マルチプロジェクションシステムの表示領域２６を撮影装置１１０７によって撮影し、撮影した映像から各プロジェクタの表示領域の表示位置を検出し、その検出結果に基づいて、表示位置調整が未完成のプロジェクタを検出する。あるいは、使用者が通知部１７を使用して未完成のプロジェクタを直接設定してもよい。勿論、通知部１７の実施形態をこれらの２形態に限定するものではない。また、通知部１７の実施形態に依存したものではないので、公知の技術を使用して通知部１７を実施可能である。
【００８０】
尚、マルチプロジェクションシステムの表示領域２６を撮影する撮影装置１１０７は、マルチプロジェクションシステムを構成する複数のプロジェクタの少なくとも１つに搭載されていても良い。その場合は、その撮影装置１１０７を搭載するプロジェクタが、表示位置調整が未完成のプロジェクタを検出する。あるいは、撮影装置１１０７を別体の装置として、マルチプロジェクションシステムを構成する複数のプロジェクタそれぞれと通信可能に接続されていても良い。その場合は、撮影装置１１０７あるいは所定のプロジェクタ（例えば、マスタプロジェクタ）の指示により、表示位置調整が未完成のプロジェクタを検出する。
【００８１】
続いて、表示位置調整が完了していない（表示位置調整が未完了の）マルチプロジェクションシステムに適用した実施形態を説明する。
【００８２】
図９は、マルチプロジェクションシステムを構成する複数のプロジェクタの内、少なくとも１つの表示位置調整が完了していない場合の一実施形態である。ここで、プロジェクタＡはマスタプロジェクタとする。図９（ａ）では、マスタプロジェクタ、即ち、プロジェクタＡの表示位置調整が未完成であるため、マルチプロジェクションシステムの構築が完了していない状態を示している。図９（ａ）に示すように、マスタプロジェクタの表示領域４１、即ち、プロジェクタＡの表示領域は、非重畳領域４３と、未調整表示領域に係わる重畳領域４４からなる。調整済表示領域４２も、非重畳領域４３と、未調整表示領域に係わる重畳領域４４からなる。ここで、調整済表示領域４２、及び未調整表示領域に係わる重畳領域４４は、通知部１７が検出した表示位置調整が未完成のプロジェクタの情報に基づいて決定する。
【００８３】
図９（ａ）の状態では、以下に示す条件でメニュを表示する。
【００８４】
＜ａ＞：  メニュの全領域が（表示領域４１あるいは調整済表示領域４２における）非重畳領域４３に存在する場合のみメニュを表示、つまり、未調整表示領域に係わる重畳領域４４に掛かる領域にはメニュを表示しない（メニュの表示を禁止する）
この条件＜ａ＞で、メニュを表示した一実施形態を図９（ｂ）に示す。図９（ｂ）において、表示可能メニュ４６は、表示領域４１の非重畳領域４３あるいは調整済表示領域４２上で表示が可能な位置に配置したメニュである。一方、表示不可能メニュ４７は、重畳領域４４上で表示不可能な位置に配置したメニュを示している。表示不可能メニュ４７は、あくまで表示が不可能な位置を説明するためのものであり、実際には表示不可能メニュ４７を表示することは無い。
【００８５】
このようにして、表示不可能な位置、つまり、未調整表示領域に係わる重畳領域４４に掛かる領域に、使用者がメニュを表示しようとした場合（つまり、受信部１４が受付部として表示指示を受け付けた場合）、通知部１７は、メニュを表示不可能である旨のエラーメッセージ（警告表示）を表示し、使用者に警告する。
【００８６】
続けて、スレーブプロジェクタの表示位置調整が未完成のため、構築が完了していないマルチプロジェクションシステムの一実施形態を説明する。
【００８７】
図１０（ａ）では、スレーブプロジェクタであるプロジェクタＣの表示位置調整が未完成であるため、マルチプロジェクションシステムの構築が完了していない状態を示している。図１０においても、プロジェクタＡをマスタプロジェクタとする。図１０（ａ）に示すように、表示位置調整が未完成のスレーブプロジェクタの表示領域４５、即ち、プロジェクタＣの表示領域は、非重畳領域４３と、未調整表示領域に係わる重畳領域４４からなる。調整済表示領域４２も、非重畳領域４３と、未調整表示領域に係わる重畳領域４４からなる。ここで、調整済表示領域４２、及び未調整表示領域に係わる重畳領域４４は、通知部１７が検出した表示位置調整が未完成のプロジェクタの情報に基づいて決定する。
【００８８】
図１０（ａ）に示す状態では、以下に示す条件でメニュを表示する。
【００８９】
＜ｂ＞：  調整済表示領域４２上の非重畳領域４３にメニュの全領域が存在する場合のみメニュを表示
この条件＜ｂ＞で、メニュを表示した一実施形態を図１０（ｂ）に示す。図１０（ｂ）において、表示可能メニュ４６は、調整済表示領域４２上で表示が可能な位置に配置したメニュである。一方、表示不可能メニュ４７は、表示領域４５あるいは非重畳領域４３上で表示不可能な位置に配置したメニュを示している。表示不可能メニュ４７は、あくまで表示が不可能な位置を説明するためのものであり、実際には表示不可能メニュ４７を表示することは無い。つまり、スレーブプロジェクタでは、マスタプロジェクタとは異なり、自身の表示領域４５が表示位置未調整である場合には、その表示領域４５も、メニュを表示不可能な位置となる。
【００９０】
このようにして、表示不可能な位置、つまり、未調整表示領域に係わる重畳領域４４に掛かる領域に、使用者がメニュを表示しようとした場合、通知部１７は、表示不可能である旨のエラーメッセージを表示し、使用者に警告する。
【００９１】
次に、実施形態２におけるプロジェクタのメニュ表示制御について、図１１を用いて説明する。尚、図１１に示す処理は、ＣＰＵ１１０１がＲＯＭ１１０３に記憶されるプログラムを読み出し、ＲＡＭ１１０２上で実行することで実現される。
【００９２】
Ｓ３０１で、ＣＰＵ１１０１は、通知部１７により、表示位置未調整のプロジェクタを検出する。Ｓ３０２で、ＣＰＵ１１０１は、検出したプロジェクタの種類を判定する。プロジェクタの種類がマスタプロジェクタである場合、Ｓ３０３で、ＣＰＵ１１０１は、選択部１６により、自身の表示領域あるいは調整済表示領域の、非重畳領域を、メニュの表示を許可するメニュ表示可能領域に設定する。一方、プロジェクタの種類がスレーブプロジェクタである場合、Ｓ３０４で、ＣＰＵ１１０１は、選択部１６により、調整済表示領域の非重畳領域を、メニュの表示を許可するメニュ表示可能領域に設定する。
【００９３】
Ｓ３０５で、ＣＰＵ１１０１は、メニュの表示指示を受信する。Ｓ３０６で、表示指示で指定される表示位置でのメニュの全領域がメニュ表示可能領域内に存在するか否かを判定する。メニュの全領域がメニュ表示可能領域内に存在しない場合（Ｓ３０５でＮＯ）、ＣＰＵ１１０１は、選択部１６により、メニュを表示することができない旨を示すエラーメッセージを表示する。一方、メニュの全領域がメニュ表示可能領域内に存在する場合（Ｓ３０５でＹＥＳ）、ＣＰＵ１１０１は、選択部１６により、その指定された表示位置でメニュを表示する。
【００９４】
以上説明したように、本実施形態によれば、実施形態１で説明した効果に加えて、プロジェクタの表示領域の表示位置を検出して、メニュの表示の可否を使用者に通知することが可能となる。
【００９５】
＜実施形態３＞
実施形態１及び２では、プロジェクタ自身に、図１あるいは図６に示す表示制御装置が実装される構成を想定しているが、プロジェクタと通信可能に接続される別装置として存在させることも可能である。特に、別装置として存在させる場合には、その表示制御装置において、各プロジェクタが表示を担当する領域に対応する設定画面であるメニュの部分画像（設定画面の少なくとも一部）を、設定画面から切り出して生成して、各プロジェクタに送信するようにしても良い。この際、実施形態１で説明した動作形態に従う制御に応じて、メニュ諸元、メニュイメージ、及び表示担当領域メニュイメージの少なくとも１つを、送信すべきプロジェクタへ送信するようにしても良い。
【００９６】
尚、本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００９７】
１：表示制御装置、２：ＨＵＢ、１１：決定部、１２：生成部、１３：切出部、１４：受信部、１５：送信部、１６：選択部、１７：通知部
【図１】
0006512796.tif 000007
【図２】
0006512796.tif 000008
【図３】
0006512796.tif 000009
【図４】
0006512796.tif 000010
【図５】
0006512796.tif 000011
【図６】
0006512796.tif 000012
【図７】
0006512796.tif 000013
【図８】
0006512796.tif 000014
【図９】
0006512796.tif 000015
【図１０】
0006512796.tif 000016
【図１１】
0006512796.tif 000017